(57)【要約】【課題】初期化前の反射率が低い記録層を備えた記録媒体に対して確実にフォーカス動作を行い、初期化を正常に行うことが可能な、光学式記録媒体の初期化方法及び初期化装置を提供すること。【解決手段】初期化開始時に焦点位置粗調用光ビームの焦点を光学式記録媒体の基準面に合わせることによって、初期化用光ビームの焦点位置を初期化を行う記録層に概ね合わせて前記記録層を部分的に初期化し、この記録層の初期化された部分で初期化用光ビームのフォーカスを引き込むことにより、未初期化状態では反射率が極めて低い記録層であっても、確実にフォーカス動作を行い、初期化を正常に行うことが可能となる。【選択図】図１
2011040110.tif 000002
【特許請求の範囲】
【請求項１】
光学式記録媒体の記録層を初期化する際に、その初期化開始時において、記録層を初期化する初期化用光ビームとは異なる焦点位置粗調用光ビームを前記記録層とは異なる前記光学式記録媒体中の基準面に照射し、前記基準面からの反射光をもとに生成されるフォーカスエラー信号に基づいて前記初期化用光ビームの焦点を前記記録層に概略合わせて、前記記録層を部分的に初期化した後、前記初期化用光ビームの前記記録層からの反射光をもとに生成されるフォーカスエラー信号に基づいて前記初期化用光ビームの焦点位置を制御しながら初期化することを特徴とする光学式記録媒体の初期化方法。
【請求項２】
前記記録層の初期化開始時において、前記初期化用光ビームの焦点を前記記録層に概略合わせた後に前記記録層に対して相対的に上下方向に移動させて、前記記録層を部分的に初期化する請求項１に記載の光学式記録媒体の初期化方法。
【請求項３】
複数の記録層を有する光学式記録媒体において、前記初期化用光ビームの焦点を初期化する記録層に概略合わせた後に他の記録層に達しない範囲で前記初期化する記録層に対して相対的に上下方向に移動させる請求項２に記載の光学式記録媒体の初期化方法。
【請求項４】
前記基準面が前記光学式記録媒体の光ビーム照射側表面である請求項１に記載の光学式情報記録媒体の初期化方法。
【請求項５】
複数の記録層を有する光学式記録媒体において、前記基準面が初期化する記録層の焦点位置粗調用光ビームに対する未初期化状態での反射率よりも反射率の高い記録層である請求項１に記載の光学式記録媒体の初期化方法。
【請求項６】
前記光学式記録媒体が３つ以上の記録層を有する請求項１に記載の光学式記録媒体の初期化方法。
【請求項７】
初期化開始時において、最初は前記初期化用光ビームを初期化には不十分な強度とし、前記初期化用光ビームの焦点を初期化する記録層に概略合わせた後に初期化に十分な強度とする請求項１に記載の光学式記録媒体の初期化方法。
【請求項８】
複数の記録層を有する光学式記録媒体において、前記初期化用光ビームを照射する側から見て奥側の記録層を初期化した後に、手前側の記録層を初期化する請求項１に記載の光学式記録媒体の初期化方法。
【請求項９】
複数の記録層を有する光学式記録媒体において、前記初期化用光ビームを照射する側から見て奥側の記録層の初期化領域を手前側の記録層の初期化領域よりも広範囲とする請求項１に記載の光学式記録媒体の初期化方法。
【請求項１０】
初期化用光ビームと焦点位置粗調用光ビームの波長が異なる請求項１に記載の光学式記録媒体の初期化方法。
【請求項１１】
焦点位置粗調用光ビームは前記光学式記録媒体から情報を再生するための光ビームと概略同じ波長である請求項１０に記載の光学式記録媒体の初期化方法。
【請求項１２】
記録層の初期化用光ビームに対する未初期化状態での反射率が初期化後の反射率よりも低い請求項１に記載の光学式記録媒体の初期化方法。
【請求項１３】
光学式記録媒体に対して同一面側に備えられた初期化用光学ヘッドと焦点位置粗調用光学ヘッド、前記初期化用光学ヘッドから照射された初期化用光ビームの前記光学式記録媒体からの反射光からフォーカスエラー信号を生成する第１のフォーカスエラー検出器、前記第１のフォーカスエラー検出器によって生成されたフォーカスエラー信号に基づいて前記初期化用光ビームの焦点位置を制御する第１の焦点位置制御回路、前記焦点位置粗調用光学ヘッドから照射された焦点位置粗調用光ビームの前記光学式記録媒体からの反射光からフォーカスエラー信号を生成する第２のフォーカスエラー検出器、前記第２のフォーカスエラー検出器によって生成されたフォーカスエラー信号に基づいて前記初期化用光ビームと前記焦点位置粗調用光ビームの焦点位置を制御する第２の焦点位置制御回路、前記初期化用光学ヘッドを所定の方向に移動させる移動システム、前記第１の焦点位置制御回路と前記第２の焦点位置制御回路を切り替えて動作させるコントローラを備え、初期状態では前記第２の焦点位置制御回路動作時に前記初期化用光ビームの焦点位置と前記焦点位置粗調用光ビームの焦点位置が光軸方向に一定の距離となるように設定されていることを特徴とする光学式記録媒体の初期化装置。
【請求項１４】
前記初期化用光ビームの焦点位置と前記焦点位置粗調用光ビームの焦点位置の光軸方向の距離が、コントローラの指示によってその距離を所望の値に変更可能である請求項１３に記載の光学式記録媒体の初期化装置。
【請求項１５】
前記初期化用光ビームの焦点を上下動させる駆動システムと、前記初期化用光ビームの焦点の上下動回数を計数するカウンターを備えた請求項１３に記載の光学式記録媒体の初期化装置。
【請求項１６】
前記初期化用光ビームと前記焦点位置粗調用光ビームの波長が異なる請求項１３に記載の光学式記録媒体の初期化装置。
【請求項１７】
前記焦点位置粗調用光ビームは前記光学情報記録媒体から情報を再生するための光ビームと概略同じ波長である請求項１３に記載の光学式記録媒体の初期化装置。
【請求項１８】
光学式記録媒体に対して同一面側に備えられた初期化用光学ヘッドと焦点位置粗調用光学ヘッド、前記初期化用光学ヘッドから照射された初期化用光ビームの前記光学式記録媒体からの反射光からフォーカスエラー信号を生成する第１のフォーカスエラー検出器、前記焦点位置粗調用光学ヘッドから照射された焦点位置粗調用光ビームの前記光学式記録媒体からの反射光からフォーカスエラー信号を生成する第２のフォーカスエラー検出器、前記第１のフォーカスエラー検出器によって生成されたフォーカスエラー信号と前記第２のフォーカスエラー検出器によって生成されたフォーカスエラー信号の一方を選択するフォーカスエラー信号選択回路、前記フォーカスエラー信号選択回路によって選択されたフォーカスエラー信号に基づいて前記初期化用光ビームおよび前記焦点位置粗調用光ビームの焦点位置を制御する焦点位置制御回路、前記初期化用光学ヘッドを所定の方向に移動させる移動システム、前記フォーカスエラー信号選択回路の信号選択動作をさせるコントローラを備え、初期状態では第２の焦点位置制御回路動作時に前記初期化用光ビームの焦点位置と前記焦点位置粗調用光ビームの焦点位置が光軸方向に一定の距離となるように設定されていることを特徴とする光学式記録媒体の初期化装置。
【請求項１９】
前記初期化用光ビームの焦点位置と前記焦点位置粗調用光ビームの焦点位置の光軸方向の距離が、コントローラの指示によってその距離を所望の値に変更可能である請求項１８に記載の光学式記録媒体の初期化装置。
【請求項２０】
前記初期化用光ビームの焦点を上下動させる駆動システムと、前記初期化用光ビームの焦点の上下動回数を計数するカウンターを備えた請求項１８に記載の光学式記録媒体の初期化装置。
【請求項２１】
前記初期化用光ビームと前記焦点位置粗調用光ビームの波長が異なる請求項１８に記載の光学式記録媒体の初期化装置。
【請求項２２】
前記焦点位置粗調用光ビームは前記光学情報記録媒体から情報を再生するための光ビームと概略同じ波長である請求項１８に記載の光学式記録媒体の初期化装置。
【請求項２３】
初期化用光ビームを照射する第１の光源と焦点位置粗調用光ビームを照射する第２の光源と前記初期化用光ビームおよび前記焦点位置粗調用光ビームを光学情報記録媒体に集光する対物レンズとを有する光学ヘッドを備え、前記初期化用光ビームの前記光学情報記録媒体からの反射光からフォーカスエラー信号を生成する第１のフォーカスエラー検出器、前記第１のフォーカスエラー検出器によって生成されたフォーカスエラー信号に基づいて前記初期化用光ビームの焦点位置を制御する第１の焦点位置制御回路、前記焦点位置粗調用光ビームの前記光学情報記録媒体からの反射光からフォーカスエラー信号を生成する第２のフォーカスエラー検出器、前記第２のフォーカスエラー検出器によって生成されたフォーカスエラー信号に基づいて前記初期化用光ビームと前記焦点位置粗調用光ビームの焦点位置を制御する第２の焦点位置制御回路、前記光学ヘッドを所定の方向に移動させる移動システム、前記第１の焦点位置制御回路と前記第２の焦点位置制御回路を切り替えて動作させるコントローラを備え、初期状態では前記第２の焦点位置制御回路動作時に前記初期化用光ビームの焦点位置と前記焦点位置粗調用光ビームの焦点位置が光軸方向に一定の距離となるように設定されていることを特徴とする光学式記録媒体の初期化装置。
【請求項２４】
少なくとも１つの光源から照射される光ビームの固有の光路上に光路補正手段を設けた請求項２３に記載の光学式記録媒体の初期化装置。
【請求項２５】
前記初期化用光ビームの焦点の上下動回数を計数するカウンターを備えた請求項２３に記載の光学式記録媒体の初期化装置。
【請求項２６】
前記初期化用光ビームと前記焦点位置粗調用光ビームの波長が異なる請求項２３に記載の光学式記録媒体の初期化装置。
【請求項２７】
光路補正手段が液晶素子である請求項２４に記載の光学式記録媒体の初期化装置。
【請求項２８】
光路補正手段がレンズである請求項２４に記載の光学式記録媒体の初期化装置。
【請求項２９】
初期化用光ビームを照射する第１の光源と焦点位置粗調用光ビームを照射する第２の光源と前記初期化用光ビームおよび前記焦点位置粗調用光ビームを前記光学情報記録媒体に集光する対物レンズとを有する光学ヘッドを備え、前記初期化用光ビームの前記光学情報記録媒体からの反射光からフォーカスエラー信号を生成する第１のフォーカスエラー検出器、前記焦点位置粗調用光ビームの前記光学情報記録媒体からの反射光からフォーカスエラー信号を生成する第２のフォーカスエラー検出器、前記第１のフォーカスエラー検出器によって生成されたフォーカスエラー信号と前記第２のフォーカスエラー検出器によって生成されたフォーカスエラー信号の一方を選択するフォーカスエラー信号選択回路、前記フォーカスエラー信号選択回路によって選択されたフォーカスエラー信号に基づいて前記初期化用光ビームおよび前記焦点位置粗調用光ビームの焦点位置を制御する焦点位置制御回路、前記光学ヘッドを所定の方向に移動させる移動システム、第１の焦点位置制御回路と第２の焦点位置制御回路を切り替えて動作させるコントローラを備え、初期状態では前記第２の焦点位置制御回路動作時に前記初期化用光ビームの焦点位置と前記焦点位置粗調用光ビームの焦点位置が光軸方向に一定の距離となるように設定されていることを特徴とする光学式記録媒体の初期化装置。
【請求項３０】
少なくとも１つの光源から照射される光ビームの固有の光路上に光路補正手段を設けた請求項２９に記載の光学式記録媒体の初期化装置。
【請求項３１】
前記初期化用光ビームの焦点の上下動回数を計数するカウンターを備えた請求項２９に記載の光学式記録媒体の初期化装置。
【請求項３２】
前記初期化用光ビームと前記焦点位置粗調用光ビームの波長が異なる請求項２９に記載の光学式記録媒体の初期化装置。
【請求項３３】
光路補正手段が液晶素子である請求項３０に記載の光学式記録媒体の初期化装置。
【請求項３４】
光路補正手段がレンズである請求項３０に記載の光学式記録媒体の初期化装置。
【発明の詳細な説明】
【技術分野】
【０００１】
本発明は、レーザ光等の照射により情報の記録再生を行う記録層を備えた光学式記録媒体の初期化方法および初期化装置に関するものである。
【背景技術】
【０００２】
大容量で高密度なメモリーとして光学式記録媒体が注目されており、現在、書換えが可能な消去型と呼ばれるものの開発が進められている。この消去型光学式記録媒体の一つとして、アモルファス状態と結晶状態の間で相変化する薄膜を記録層として用い、レーザ光の照射による熱エネルギーによって情報の記録及び消去を行うものがある。
【０００３】
この記録層用の相変化材料としては、Ｇｅ、Ｓｂ、Ｔｅ、Ｉｎ等を主成分とする合金膜、例えばＧｅＳｂＴｅ合金が知られている。情報の記録は記録層を部分的にアモルファス化して記録マークを形成して行う。情報の消去は、通常、この記録マークを結晶化することによって行う場合が多い。アモルファス化は記録層を融点以上に加熱した後に冷却することによって行われる。一方、結晶化は記録層を結晶化温度以上、融点以下の温度に加熱することによって行われる。また、記録層の成膜はスパッタリングによって行われるのが一般的であるが、このスパッタリングによって形成された前記相変化材料の薄膜は、ほとんどの場合アモルファス状態となる。したがって、情報を記録する前に予め記録層を結晶状態にしておく必要がある。この処理を初期化と呼ぶ。
【０００４】
また、最近では、各種情報機器の処理能力の向上に伴い、扱われる情報量が大きくなっている。そのために、より大容量かつ高速な記録再生が可能な記録媒体が求められている。この大容量化と高速化の手段として、記録再生用光ビームの短波長化が進められ、波長約４００ｎｍのレーザ光が用いられるようになっている。これに対し、製造コスト低減のためには初期化に要する時間の短縮が求められる。そのためには、大きなビームスポットの光ビームを用いて、記録層の広い領域を同時に初期化する必要がある。したがって、初期化用光ビームとしては高出力を得やすい波長約８１０ｎｍのレーザ光が用いられている。
【０００５】
前記初期化を行う従来の初期化装置としては、初期化用の波長８１０ｎｍの半導体レーザとフォーカス制御用の波長４００ｎｍの半導体レーザおよび１つの対物レンズを備えた光学ヘッドを有し、前記光学ヘッドから記録媒体の記録層に光ビームを照射しながら、前記光学ヘッドを所定の方向に移動させて、前記記録層の所望の領域を初期化するものがあった（例えば、特許文献１参照）。
【０００６】
図１３は、前記特許文献１に記載された従来の初期化装置における光学ヘッドの概略を示す構成図である。図１３において、波長４００ｎｍの半導体レーザ２０１から照射された光ビーム２０３および波長８１０ｎｍの半導体レーザ２０２から照射された光ビーム２０４は、ビームスプリッター２０５で反射され、対物レンズ２０６を通して記録媒体２０７に照射される。ここで、前記光ビーム２０３が前記記録媒体２０７の記録層に焦点が合った状態において、前記光ビーム２０４も前記記録媒体２０７の記録層に焦点が合うように構成されている。前記光ビーム２０３は、前記記録媒体２０７の記録層で反射され、再び対物レンズ２０６を通って光検出器２０８に入射する。このとき前記光検出器２０８で生成された電気信号はフォーカスサーボ回路２０９に出力される。前記フォーカスサーボ回路２０９は、前記電気信号に基づいてアクチュエーター２１０を駆動し、対物レンズの位置を調整することによって、光ビーム２０３および２０４の焦点を前記記録媒体２０７の記録層に合わせる。
【特許文献１】特開２００３−２２５３８号公報
【発明の開示】
【発明が解決しようとする課題】
【０００７】
ところが、記録媒体の更なる大容量化のために、前述の記録再生用光ビームの短波長化に加えて、複数の記録層を備え、片側の面からそれぞれの記録層に情報を記録再生することのできる多層記録媒体の開発が進められている。図１１は、この多層記録媒体の一例の概略を示す断面図である。記録媒体１００は、ポリカーボネートからなる厚さ１．１ｍｍの基板１０１上に第１の記録層１０２、第２の記録層１０４、第３の記録層１０６、第４の記録層１０８を透明分離層１０３、１０５、１０７を介して設け、その上に紫外線硬化樹脂からなる保護膜１０９を形成したものであり、保護膜１０９側から全ての記録層に対して情報の記録および再生が行われる。この場合、第１の記録層１０２に照射される光ビームは第２の記録層１０４、第３の記録層１０６、第４の記録層１０８を通過する際に減衰するため、１つだけの記録層を有する記録媒体に比べ記録層からの反射光量が格段に小さくなる。また、他の記録層に関しては、この光ビームの減衰を抑制するために高い透過率が必要となり、それに伴って反射率を低くせざるを得ない。特に、初期化前、つまり、記録層の相変化材料がアモルファスの状態では反射率が低く、１％に満たない。
【０００８】
前記従来の初期化装置では、このような多層記録媒体を初期化しようとした場合に、記録層から十分な反射光量が得られないためにフォーカスサーボが困難となり、初期化を正常に行うことができないという問題があった。
【０００９】
本発明は上記従来の課題を解決するもので、初期化前の反射率が低い記録層を備えた記録媒体に対して確実にフォーカス動作を行い、初期化を正常に行うことが可能な、光学式記録媒体の初期化方法及び初期化装置を提供することを目的とする。
【課題を解決するための手段】
【００１０】
上記目的を達成するために本発明の初期化方法は、光学式記録媒体を初期化するにあたって、少なくとも１つの記録層の初期化開始時において、記録層を初期化する初期化用光ビームとは異なる焦点位置粗調用光ビームを前記少なくとも１つの記録層とは異なる基準面に照射し、前記基準面からの反射光をもとに生成されるフォーカスエラー信号に基づいて前記初期化用光ビームの焦点を前記少なくとも１つの記録層に概略合わせて、前記少なくとも１つの記録層を部分的に初期化した後、前記初期化用光ビームの前記少なくとも１つの記録層からの反射光をもとに生成されるフォーカスエラー信号に基づいて前記初期化用光ビームの焦点位置を制御しながら前記少なくとも１つの記録層を初期化する。
【００１１】
これによって、初期化前の反射率が低い記録層を備えた記録媒体に対して確実にフォーカス動作を行い、初期化を正常に行うことが可能となる。
【００１２】
また、本発明の初期化装置は、光学式記録媒体に対して同一面側に備えられた初期化用光学ヘッドと焦点位置粗調用光学ヘッド、前記初期化用光学ヘッドから照射された初期化用光ビームの前記光学式記録媒体からの反射光からフォーカスエラー信号を生成する第１のフォーカスエラー検出器、前記第１のフォーカスエラー検出器によって生成されたフォーカスエラー信号に基づいて前記初期化用光ビームの焦点位置を制御する第１の焦点位置制御回路、前記焦点位置粗調用光学ヘッドから照射された焦点位置粗調用光ビームの前記光学式記録媒体からの反射光からフォーカスエラー信号を生成する第２のフォーカスエラー検出器、前記第２のフォーカスエラー検出器によって生成されたフォーカスエラー信号に基づいて前記初期化用光ビームと前記焦点位置粗調用光ビームの焦点位置を制御する第２の焦点位置制御回路、前記初期化用光学ヘッドを所定の方向に移動させる移動システム、前記第１の焦点位置制御回路と前記第２の焦点位置制御回路を切り替えて動作させるコントローラを備えている。初期状態では前記第２の焦点位置制御回路動作時に前記初期化用光ビームの焦点位置と前記焦点位置粗調用光ビームの焦点位置が光軸方向に一定の距離となるように設定されており、コントローラの指示によってその距離を所望の値に変更することができる。
【００１３】
本構成によって、初期化前の反射率が低い記録層を備えた記録媒体に対して確実にフォーカス動作を行い、初期化を正常に行うことが可能となる。
【００１４】
なお、フォーカスサーボ回路を１つだけ設け、前記コントローラが前記第１のフォーカスエラー検出器および第２のフォーカスエラー検出器で生成されるフォーカスエラー信号の一方を選択し、前記フォーカスサーボ回路に入力する構成としても良い。
【発明の効果】
【００１５】
本発明の初期化方法および初期化装置によれば、初期化前の反射率が低い記録層を備えた記録媒体に対して確実にフォーカス動作を行い、初期化を正常に行うことが可能となる。
【発明を実施するための最良の形態】
【００１６】
以下、本発明の実施の形態について、図面を参照しながら説明する。
【００１７】
（実施の形態１）
図１は本発明の実施の形態１における光学式記録媒体の初期化装置の構成図であり、図１１で説明した４つの記録層を有する記録媒体１００を設置した状態を示している。図１１において、透明分離層１０３、１０５、１０７の厚さは、それぞれ約３０μｍ、１５μｍ、２０μｍであり、保護膜１０９の厚さは、約３５μｍである。また、基板１０１および透明分離層１０３、１０５、１０７上には、深さ約２０ｎｍ、幅約０．２μｍ、ピッチ約０．３２μｍの溝によって形成され、記録再生時にレーザ光をトラッキングする案内溝（図示せず）が設けられている。
【００１８】
記録媒体１００のさらに詳細な構造を図１２に示す。図１２において、記録層１０２は、誘電体材料ＺｎＳ−ＳｉＯ２からなる保護層１１０、ＧｅＳｂＴｅ薄膜からなる相変化層１１１、ＺｎＳ−ＳｉＯ２からなる保護層１１２、Ａｇ合金薄膜からなる反射層１１３の多層薄膜で構成されている。また、記録層１０４は、ＺｎＳ−ＳｉＯ２からなる保護層１１４、ＧｅＳｂＴｅ薄膜からなる相変化層１１５、ＺｎＳ−ＳｉＯ２からなる保護層１１６、Ａｇ合金薄膜からなる反射層１１７、誘電体材料ＴｉＯ２からなる光透過率調整層１１８の多層薄膜で構成されている。記録層１０６および１０８は、記録層１０４と同様に、それぞれ、ＺｎＳ−ＳｉＯ２からなる保護層１１９、１２４、ＧｅＳｂＴｅ薄膜からなる相変化層１２０、１２５、ＺｎＳ−ＳｉＯ２からなる保護層１２１、１２６、Ａｇ合金薄膜からなる反射層１２２、１２７、誘電体材料ＴｉＯ２からなる光透過率調整層１２３、１２８の多層薄膜で構成されている。
【００１９】
各記録層は、記録媒体１００が完成した形態において、波長４０５ｎｍのレーザ光に対して、相変化層がアモルファス状態の場合の反射率が約０．２％、相変化層が結晶状態の場合の反射率が約１．５％となるように、各薄膜の厚さが設定されている。なお、保護膜１０９の表面からの反射率は約４％である。
【００２０】
図１において、初期化装置１は、スピンドルモータ２、初期化用光学ヘッド３、焦点位置粗調用光学ヘッド４、前記光学ヘッド３および４を設置した移送台５、前記移送台を所望の位置に移動させる移動手段６、第１の焦点位置制御回路７、第２の焦点位置制御回路８、コントローラ９から構成されている。
【００２１】
初期化用光学ヘッド３の構造を図２に示す。波長８１０ｎｍの半導体レーザからなる光源２１から出射された初期化用光ビーム２８はコリメータレンズ２２、ビームスプリッター２３、１／４波長板２４、対物レンズ２５を通して記録媒体に集光される。この集光された初期化用光ビーム２８は、ボイスコイル２６により対物レンズ２５の位置を調整することによって、記録媒体中の記録層に焦点を合わせられる。前記初期化用光ビーム２８の焦点位置でのスポット形状は、記録媒体の径方向に１００μｍ、周方向に１μｍの長さの長円形に成形されている。記録層から反射された初期化用光ビームは再び対物レンズ２５、１／４波長板２４を通り、ビームスプリッター２３で反射されてフォーカスエラー検出器２７に入射し、フォーカスエラー信号に変換される。前記フォーカスエラー信号は、図１における第１の焦点位置制御回路７に出力される。
【００２２】
次に、焦点位置粗調用光学ヘッド４の構造を図３に示す。波長４０５ｎｍの半導体レーザからなる光源３１から出射された焦点位置粗調用光ビーム３８はコリメータレンズ３２、ビームスプリッター３３、１／４波長板３４、対物レンズ３５を通して記録媒体に集光される。この集光された焦点位置粗調用光ビーム３８は、ボイスコイル３６により対物レンズ３５の位置を調整することによって、記録媒体中の基準面に焦点を合わせられる。基準面から反射された焦点位置粗調用光ビームは再び対物レンズ３５、１／４波長板３４を通り、ビームスプリッター３３で反射されてフォーカスエラー検出器３７に入射し、フォーカスエラー信号に変換される。前記フォーカスエラー信号は、図１における第２の焦点位置制御回路８に出力される。
【００２３】
コントローラ９は、スピンドルモータ２や移動手段６の駆動、初期化用光ビーム２８や焦点位置粗調用光ビーム３８の強度設定に加え、第１の焦点位置制御回路７と第２の焦点位置制御回路８を切り替えて動作させ、初期化動作全体を制御する。
【００２４】
第１の焦点位置制御回路７は、図２におけるボイスコイル２６を駆動して、初期化用光ビームの焦点位置を制御する。また、第２の焦点位置制御回路８は、図２におけるボイスコイル２６と図３におけるボイスコイル３６を同時に駆動し、初期化用光ビーム２８の焦点位置と焦点位置粗調用光ビーム３８の焦点位置を連動させながら制御する。
【００２５】
初期状態では前記第２の焦点位置制御回路８動作時に前記初期化用光ビーム２８の焦点位置と前記焦点位置粗調用光ビーム３８の焦点位置の光軸方向の距離は予め定められた値となっており、コントローラの指示によってその距離を所望の値に変更することができる。
【００２６】
図４は、本実施形態における初期化方法の概略を示すフローチャートであり、図１を参照しながら説明する。最初に、Ｓ１で記録再生装置を起動する。具体的には、記録媒体１００をスピンドルモータ２に装着し、回転させる。その後、Ｓ２で第１の記録層１０２を初期化し、Ｓ３で第２の記録層１０４を初期化し、Ｓ４で第３の記録層１０６を初期化し、Ｓ５で第４の記録層１０８を初期化した後、Ｓ６でスピンドルモータ２の回転を停止し、一連の初期化工程を終了する。
【００２７】
図５は、図４における第１記録層の初期化工程Ｓ２の内容を示すフローチャートであり、図１、図２および図３を参照しながら説明する。最初に、Ｓ２０１で初期設定を行う。具体的には、移送台５を初期化開始位置に移動し、初期化用光ビーム２８の焦点位置と前記焦点位置粗調用光ビーム３８の焦点位置の光軸方向の距離が記録媒体１００の表面と第１の記録層１０２の距離に相当する約１００μｍになるように対物レンズ２６および３６の位置を調整する。
【００２８】
次に、Ｓ２０２で、焦点位置粗調用光ビーム３８を発光させ、第２の焦点位置制御回路８を動作させて、前記焦点位置粗調用光ビーム３８の焦点を記録媒体１００の表面に合わせる。次に、Ｓ２０３で、初期化用光ビーム２８を発光させ、第２の焦点位置制御回路８によって初期化用光ビーム２８の焦点位置と前記焦点位置粗調用光ビーム３８の焦点位置の光軸方向の距離を約１００μｍに保つように対物レンズ２５を対物レンズ３５に連動させて、第１の記録層１０２を部分的に初期化する。
【００２９】
その後、Ｓ２０４で第２の焦点位置制御回路８に替えて第１の焦点位置制御回路７を動作させて、初期化用光ビーム２８の焦点を第１の記録層１０２のＳ２０３で初期化された場所に合わせる。そして、Ｓ２０５で初期化用光ビーム２８のフォーカス外れが発生したかどうかを検出し、フォーカス外れが発生した場合にはＳ２０８で初期化用光ビーム２８を消光し、初期化動作を終了する。フォーカス外れがない場合にはＳ２０６で記録媒体１回転あたり５０μｍの送りピッチで移送台５を記録媒体１００の径方向に移動させながら記録層１０２の初期化を継続する。そして、Ｓ２０７で移送台が初期化終了位置に達したかどうかを判定し、初期化終了位置に達していない場合にはＳ２０５からＳ２０７を繰り返す。初期化終了位置に達したと判定した場合にはＳ２０８で初期化用光ビーム２８を消光し、初期化動作を終了する。
【００３０】
Ｓ３、Ｓ４およびＳ５の内容は、Ｓ２０１における初期化用光ビーム２８の焦点位置と前記焦点位置粗調用光ビーム３８の焦点位置の光軸方向の距離を、それぞれ記録媒体１００の表面と初期化する記録層１０４、１０６、１０８との距離に設定することを除いて、図５で説明したＳ２の内容と同様であり、個別の説明は省略する。
【００３１】
ここで、記録媒体１００の各記録層を単独で測定したときの、波長８１０ｎｍの光に対する反射率および透過率を、相変化層がアモルファス状態の場合と結晶状態の場合について、表１に示す。
【００３２】
【表１】
2011040110.tif 000003
【００３３】
本実施形態では、第１の記録層から順番に初期化するため、初期化作業中の記録層よりも保護膜側の記録層は全て相変化層がアモルファスの状態である。また、Ｓ２０３で初期化用光ビーム照射部分の相変化層は結晶状態となっている。したがって、各記録層のＳ２０４での初期化用光ビームのフォーカス引き込み時の反射率と、未初期化状態の反射率は、表２のようになる。
【００３４】
【表２】
2011040110.tif 000004
【００３５】
表２から分かるように、特に未初期化状態で最も低い反射率となる第２の記録層においては、Ｓ２０４の初期化用光ビームのフォーカス引き込み時の反射率が未初期化状態の６倍以上となり、フォーカス引き込みが容易となる。また、先に述べたように、本実施形態で用いた多層記録媒体では、記録再生に用いる波長４０５ｎｍのレーザ光に対して、相変化層がアモルファス状態の場合の各記録層の反射率は約０．２％であるため、単層記録媒体で用いていた従来の方法（例えば、特許文献１）では、フォーカス制御用光ビームを用いてもフォーカス引き込みが困難であるのに対して、本実施形態の初期化方法では、初期化用光ビームのフォーカス引き込み時の反射率が十分高くなるため、フォーカス引き込みが容易となる。さらに、本実施例では、Ｓ２０２で焦点位置粗調用光ビームの焦点を反射率が約４％と高い記録媒体の表面に合わせるため、フォーカスの引き込みが容易である。
【００３６】
つまり、以上の構成により、本実施形態の初期化方法および初期化装置によれば、初期化開始時に焦点位置粗調用光ビームの焦点を反射率の高い記録媒体の表面に合わせ、初期化用光ビームの焦点位置を初期化を行う記録層に概ね合わせて前記記録層を部分的に初期化し、この記録層の初期化された部分で初期化用光ビームのフォーカスを引き込むことによって、未初期化状態では反射率が極めて低い記録層であっても、確実にフォーカス動作を行い、初期化を正常に行うことが可能となる。
【００３７】
なお、本実施形態における第１の記録層のように、初期化用光ビームに対して、未初期化状態の方が初期化後よりも反射率が高い記録層では、Ｓ２０３の部分初期化を行わず、Ｓ２０４において初期化用光ビームを相変化層を結晶化させない強度で発光させた状態でフォーカス引き込みを行い、以降の工程を行っても良い。
【００３８】
また、Ｓ２０４でフォーカス引き込みの成否を検出し、フォーカス引き込みができなかった場合にはＳ２０３の部分初期化以降を再度行っても良い。
【００３９】
（実施の形態２）
図６は本発明の実施の形態２における光学式記録媒体の初期化装置の構成図であり、図１１で説明した４つの記録層を有する記録媒体１００を設置した状態を示している。本実施の形態における初期化装置２０は、第１の焦点位置制御回路７と第２の焦点位置制御回路８の代わりにフォーカスエラー信号選択回路１０と焦点位置制御回路１１を備えたことを除いて、図１で説明した実施の形態１における初期化装置と同じ構成であり、同じ構成要素には同じ番号を付して説明は省略する。図６において、フォーカスエラー信号選択回路１０は、コントローラ９の指示により、焦点位置粗調用光学ヘッド４から出力されるフォーカスエラー信号と初期化用光学ヘッド３から出力されるフォーカスエラー信号のどちらかを選択し、焦点位置制御回路１１に出力する。焦点位置制御回路１１は、入力されたフォーカスエラー信号に基づいて図２におけるボイスコイル２６と図３におけるボイスコイル３６を駆動し、初期化用光ビーム２８の焦点位置と焦点位置粗調用光ビーム３８の焦点位置を制御する。
【００４０】
本実施形態における初期化方法の概略は、図４で説明した実施の形態１と同じである。したがって、各記録層の初期化工程についてのみ説明する。図７は、図４における第１記録層の初期化工程Ｓ２の内容を示すフローチャートであり、図６、図２および図３を参照しながら説明する。最初に、Ｓ２１１で初期設定を行う。具体的には、移送台５を初期化開始位置に移動し、初期化用光ビーム２８の焦点位置と前記焦点位置粗調用光ビーム３８の焦点位置の光軸方向の距離が記録媒体１００の表面と第１の記録層１０２の距離に相当する約１００μｍになるように対物レンズ２５および３５の位置を調整する。
【００４１】
次に、Ｓ２１２で、焦点位置粗調用光ビーム３８を発光させ、フォーカスエラー信号選択回路１０で焦点位置粗調用光学ヘッド４から出力されるフォーカスエラー信号を選択し、前記フォーカスエラー信号に基づいて焦点位置制御回路１１を動作させて、前記焦点位置粗調用光ビーム３８の焦点を記録媒体１００の表面に合わせる。次に、Ｓ２１３で、初期化用光ビーム２８を発光させ、焦点位置制御回路１１によって初期化用光ビーム２８の焦点位置と前記焦点位置粗調用光ビーム３８の焦点位置の光軸方向の距離を約１００μｍに保つように対物レンズ２６を対物レンズ３６に連動させて、第１の記録層１０２を部分的に初期化する。
【００４２】
その後、Ｓ２１４でフォーカスエラー信号選択回路１０で初期化用光学ヘッド３から出力されるフォーカスエラー信号を選択し、前記フォーカスエラー信号に基づいて焦点位置制御回路１１を動作させて、初期化用光ビーム２８の焦点を第１の記録層１０２のＳ２１３で初期化された場所に合わせる。そして、Ｓ２１５で初期化用光ビーム２８のフォーカス外れが発生したかどうかを検出し、フォーカス外れが発生した場合にはＳ２１８で初期化用光ビーム２８を消光し、初期化動作を終了する。フォーカス外れがない場合にはＳ２１６で記録媒体１回転あたり５０μｍの送りピッチで移送台５を記録媒体１００の径方向に移動させながら記録層１０２の初期化を継続する。そして、Ｓ２１７で移送台が初期化終了位置に達したかどうかを判定し、初期化終了位置に達していない場合にはＳ２１５からＳ２１７を繰り返す。初期化終了位置に達したと判定した場合にはＳ２１８で初期化用光ビーム２８を消光し、初期化動作を終了する。
【００４３】
Ｓ３、Ｓ４およびＳ５の内容は、Ｓ２１１における初期化用光ビーム２８の焦点位置と前記焦点位置粗調用光ビーム３８の焦点位置の光軸方向の距離を、それぞれ記録媒体１００の表面と初期化する記録層１０４、１０６、１０８との距離に設定することを除いて、図７で説明したＳ２の内容と同様であり、個別の説明は省略する。
【００４４】
以上の構成により、本実施形態の初期化方法および初期化装置によれば、初期化開始時に焦点位置粗調用光ビームの焦点を反射率の高い記録媒体の表面に合わせ、初期化用光ビームの焦点位置を初期化を行う記録層に概ね合わせて前記記録層を部分的に初期化し、この記録層の初期化された部分で初期化用光ビームのフォーカスを引き込むことによって、未初期化状態では反射率が極めて低い記録層であっても、確実にフォーカス動作を行い、初期化を正常に行うことが可能となる。
【００４５】
なお、本実施形態における第１の記録層のように、初期化用光ビームに対して、未初期化状態の方が初期化後よりも反射率が高い記録層では、Ｓ２１３の部分初期化を行わず、Ｓ２１４において初期化用光ビームを相変化層を結晶化させない強度で発光させた状態でフォーカス引き込みを行い、以降の工程を行っても良い。
【００４６】
また、Ｓ２１４でフォーカス引き込みの成否を検出し、フォーカス引き込みができなかった場合にはＳ２１３の部分初期化以降を再度行っても良い。
【００４７】
（実施の形態３）
図８は本発明の実施の形態３における光学式記録媒体の初期化装置の構成図であり、図１１で説明した４つの記録層を有する記録媒体１００を設置した状態を示している。本実施の形態における初期化装置３０は、消去用光ビームの焦点位置を上下方向に移動させた回数を計数するカウンター１２を備えたことを除いて、図１で説明した実施の形態１における初期化装置と同じ構成であり、同じ構成要素には同じ番号を付して説明は省略する。
【００４８】
本実施形態における初期化方法の概略は、図４で説明した実施の形態１と同じである。したがって、各記録層の初期化工程についてのみ説明する。図９は、図４における第１記録層の初期化工程Ｓ２の内容を示すフローチャートであり、図８、図２および図３を参照しながら説明する。最初に、Ｓ２２１で初期設定を行う。具体的には、移送台５を初期化開始位置に移動し、初期化用光ビーム２８の焦点位置と前記焦点位置粗調用光ビーム３８の焦点位置の光軸方向の距離が記録媒体１００の表面と第１の記録層１０２の距離に相当する約１００μｍになるように対物レンズ２５および３５の位置を調整する。
【００４９】
次に、Ｓ２２２で、焦点位置粗調用光ビーム３８を発光させ、第２の焦点位置制御回路８を動作させて、前記焦点位置粗調用光ビーム３８の焦点を記録媒体１００の表面に合わせる。次に、Ｓ２２３で、初期化用光ビーム２８を発光させ、第２の焦点位置制御回路８によって初期化用光ビーム２８の焦点を前記焦点位置粗調用光ビーム３８の焦点に連動した動きに加えて上下方向に所定の距離、例えば±５μｍ移動させながら、第１の記録層１０２を部分的に初期化する。このとき、カウンター１２は、前記初期化用光ビーム２８の焦点の上下方向の移動回数を計数し、所定の回数、例えば２回に達したときに、前記初期化用光ビーム２８の焦点の上下動を終了する。
【００５０】
その後、Ｓ２２４で第２の焦点位置制御回路８に替えて第１の焦点位置制御回路７を動作させて、初期化用光ビーム２８の焦点を第１の記録層１０２のＳ２２３で初期化された場所に合わせる。そして、Ｓ２２５で初期化用光ビーム２８のフォーカス外れが発生したかどうかを検出し、フォーカス外れが発生した場合にはＳ２２８で初期化用光ビーム２８を消光し、初期化動作を終了する。フォーカス外れがない場合にはＳ２２６で記録媒体１回転あたり５０μｍの送りピッチで移送台５を記録媒体１００の径方向に移動させながら記録層１０２の初期化を継続する。そして、Ｓ２２７で移送台が初期化終了位置に達したかどうかを判定し、初期化終了位置に達していない場合にはＳ２２５からＳ２２７を繰り返す。初期化終了位置に達したと判定した場合にはＳ２２８で初期化用光ビーム２８を消光し、初期化動作を終了する。
【００５１】
Ｓ３、Ｓ４およびＳ５の内容は、Ｓ２２１における初期化用光ビーム２８の焦点位置と前記焦点位置粗調用光ビーム３８の焦点位置の光軸方向の距離を、それぞれ記録媒体１００の表面と初期化する記録層１０４、１０６、１０８との距離に設定することを除いて、図９で説明したＳ２の内容と同様であり、個別の説明は省略する。
【００５２】
以上の構成により、本実施形態の初期化方法および初期化装置によれば、初期化開始時に焦点位置粗調用光ビームの焦点を反射率の高い記録媒体の表面に合わせ、初期化用光ビームの焦点位置を初期化を行う記録層に概ね合わせた状態から所定の距離だけ上下させて前記記録層を部分的に初期化し、この記録層の初期化された部分で初期化用光ビームのフォーカスを引き込むことによって、未初期化状態では反射率が極めて低い記録層であっても、確実にフォーカス動作を行い、初期化を正常に行うことが可能となる。
【００５３】
また、初期化開始時の記録層の部分的な初期化を行う際に、初期化用光ビームの焦点を初期化を行う記録層の近傍で上下動させることによって、透明分離層や保護層の厚みにバラツキのある記録媒体であっても、確実に前記記録層の部分的な初期化を行うことが可能となる。なお、誤って別の記録層を初期化する危険を回避するために、前記初期化用光ビームの焦点の上下動の距離は隣接する透明分離層の厚さの１／２以下とするのが好ましい。また、前記上下動の回数は２回に限らず、記録媒体と光学ヘッドの相対速度および上下動の速度に応じて設定することができる。
【００５４】
さらに、図１０に示すように、第１の焦点位置制御回路７と第２の焦点位置制御回路８の代わりにフォーカスエラー信号選択回路１０と焦点位置制御回路１１を設けても良い。この場合、フォーカスエラー信号選択回路１０は、コントローラ９の指示により、焦点位置粗調用光学ヘッド４から出力されるフォーカスエラー信号と初期化用光学ヘッド３から出力されるフォーカスエラー信号のどちらかを選択し、焦点位置制御回路１１に出力する。焦点位置制御回路１１は、入力されたフォーカスエラー信号に基づいて図２におけるボイスコイル２６と図３におけるボイスコイル３６を駆動し、初期化用光ビーム２８の焦点位置と焦点位置粗調用光ビーム３８の焦点位置を制御する。
【００５５】
なお、本実施形態における第１の記録層のように、初期化用光ビームに対して、未初期化状態の方が初期化後よりも反射率が高い記録層では、Ｓ２２３の部分初期化を行わず、Ｓ２２４において初期化用光ビームを相変化層を結晶化させない強度で発光させた状態でフォーカス引き込みを行い、以降の工程を行っても良い。
【００５６】
また、Ｓ２２４でフォーカス引き込みの成否を検出し、フォーカス引き込みができなかった場合にはＳ２２３の部分初期化以降を再度行っても良い。
【００５７】
（実施の形態４）
図１４は本発明の実施の形態４における光学式記録媒体の初期化装置の構成図であり、図１１で説明した４つの記録層を有する記録媒体１００を設置した状態を示している。本実施の形態における初期化装置４０は、焦点位置粗調用光学ヘッド３および初期化用光学ヘッド４の代わりに、光学ヘッド１３を備えたことを除いて、図８で説明した実施の形態３における初期化装置と同じ構成であり、同じ構成要素には同じ番号を付して説明は省略する。光学ヘッド１３の構造を図１５に示す。光学ヘッド１３は、それぞれの波長が８１０ｎｍ及び４０５ｎｍの半導体レーザからなる光源４１、４２を備えている。
【００５８】
図１５において、波長選択性ミラー４９は、光源４１の波長の光を透過し、光源４２の波長の光を反射する。光源４２から出射された焦点位置粗調用光ビーム５５はコリメータレンズ４４、ビームスプリッター４６、１／４波長板４８を通り、波長選択性ミラー４９で反射され、対物レンズ５０を通して記録媒体に集光される。この集光された焦点位置粗調用光ビーム５５は、ボイスコイル５１により対物レンズ５０の位置を調整することによって、記録媒体中の基準面に焦点を合わせられる。基準面から反射された焦点位置粗調用光ビームは再び対物レンズ５０を通り、波長選択性ミラー４９で反射され、１／４波長板４８を通り、ビームスプリッター４６で反射されてフォーカスエラー検出器５４に入射し、フォーカスエラー信号に変換される。前記フォーカスエラー信号は、図１４における第２の焦点位置制御回路８に出力される。
【００５９】
一方、光源４１から出射された初期化用光ビーム５６は液晶素子からなる光路補正手段５２、コリメータレンズ４３、ビームスプリッター４５、１／４波長板４７を通り、波長選択性ミラー４９を透過し、対物レンズ５０を通して記録媒体に集光される。この集光された初期化用光ビーム５６は、ボイスコイル５１により対物レンズ５０の位置を調整することに加えて、光路補正手段５２を動作させて焦点位置を調整することによって、記録媒体中の記録層に焦点を合わせられる。前記初期化用光ビーム５６の焦点位置でのスポット形状は、記録媒体の径方向に１００μｍ、周方向に１μｍの長さの長円形に成形されている。記録層から反射された初期化用光ビームは再び対物レンズ５０を通り、波長選択性ミラー４９を透過し、１／４波長板４７を通り、ビームスプリッター４５で反射されてフォーカスエラー検出器５３に入射し、フォーカスエラー信号に変換される。前記フォーカスエラー信号は、図１４における第１の焦点位置制御回路７に出力される。
【００６０】
コントローラ９は、スピンドルモータ２や移動手段６の駆動、初期化用光ビーム５６や焦点位置粗調用光ビーム５５の強度設定に加え、第１の焦点位置制御回路７と第２の焦点位置制御回路８を切り替えて動作させ、初期化動作全体を制御する。
【００６１】
第１の焦点位置制御回路７は、図１５におけるボイスコイル５１および光路補正手段５２を駆動して、初期化用光ビームの焦点位置を制御する。また、第２の焦点位置制御回路８は、図１５におけるボイスコイル５１を動作させて、初期化用光ビーム５６の焦点位置と焦点位置粗調用光ビーム５５の焦点位置を連動させながら制御する。
【００６２】
初期状態では前記第２の焦点位置制御回路８動作時に前記初期化用光ビーム５６の焦点位置と前記焦点位置粗調用光ビーム５５の焦点位置の光軸方向の距離は予め定められた値となっており、コントローラの指示によって光路補正手段５２を調整し、その距離を所望の値に変更することができる。
【００６３】
本実施形態における初期化方法の概略は、図４で説明した実施の形態１と同じである。したがって、各記録層の初期化工程についてのみ説明する。図１６は、図４における第１記録層の初期化工程Ｓ２の内容を示すフローチャートであり、図１４および図１５を参照しながら説明する。最初に、Ｓ２３１で初期設定を行う。具体的には、移送台５を初期化開始位置に移動し、初期化用光ビーム５６の焦点位置と前記焦点位置粗調用光ビーム５５の焦点位置の光軸方向の距離が記録媒体１００の表面と第１の記録層１０２の距離に相当する約１００μｍになるように光路補正手段５２を調整する。
【００６４】
次に、Ｓ２３２で、焦点位置粗調用光ビーム５５を発光させ、第２の焦点位置制御回路８を動作させて、前記焦点位置粗調用光ビーム５５の焦点を記録媒体１００の表面に合わせる。次に、Ｓ２３３で、初期化用光ビーム５６を発光させ、光路補正手段５２によって初期化用光ビーム５６の焦点を前記焦点位置粗調用光ビーム５５の焦点に連動した動きに加えて上下方向に所定の距離、例えば±５μｍ移動させながら、第１の記録層１０２を部分的に初期化する。このとき、カウンター１２は、前記初期化用光ビーム５６の焦点の上下方向の移動回数を計数し、所定の回数、例えば２回に達したときに、前記初期化用光ビーム５６の焦点の上下動を終了する。
【００６５】
その後、Ｓ２３４で第２の焦点位置制御回路８に替えて第１の焦点位置制御回路７を動作させて、初期化用光ビーム５６の焦点を第１の記録層１０２に合わせる。そして、Ｓ２３５で初期化用光ビーム５６のフォーカス外れが発生したかどうかを検出し、フォーカス外れが発生した場合にはＳ２３８で初期化用光ビーム５６を消光し、初期化動作を終了する。フォーカス外れがない場合にはＳ２３６で記録媒体１回転あたり５０μｍの送りピッチで移送台５を記録媒体１００の径方向に移動させながら記録層１０２の初期化を継続する。そして、Ｓ２３７で移送台が初期化終了位置に達したかどうかを判定し、初期化終了位置に達していない場合にはＳ２３５からＳ２３７を繰り返す。初期化終了位置に達したと判定した場合にはＳ２３８で初期化用光ビーム５６を消光し、初期化動作を終了する。
【００６６】
Ｓ３、Ｓ４およびＳ５の内容は、Ｓ２３１における初期化用光ビーム２８の焦点位置と前記焦点位置粗調用光ビーム３８の焦点位置の光軸方向の距離を、それぞれ記録媒体１００の表面と初期化する記録層１０４、１０６、１０８との距離に設定することを除いて、図１６で説明したＳ２の内容と同様であり、個別の説明は省略する。
【００６７】
以上の構成により、本実施形態の初期化方法および初期化装置によれば、初期化開始時に焦点位置粗調用光ビームの焦点を反射率の高い記録媒体の表面に合わせ、初期化用光ビームの焦点位置を初期化を行う記録層に概ね合わせて前記記録層を部分的に初期化し、この記録層の初期化された部分で初期化用光ビームのフォーカスを引き込むことによって、未初期化状態では反射率が極めて低い記録層であっても、確実にフォーカス動作を行い、初期化を正常に行うことが可能となる。
【００６８】
なお、誤って別の記録層を初期化する危険を回避するために、前記初期化用光ビームの焦点の上下動の距離は隣接する透明分離層の厚さの１／２以下とするのが好ましい。また、前記上下動の回数は２回に限らず、記録媒体と光学ヘッドの相対速度および上下動の速度に応じて設定することができる。
【００６９】
また、本実施形態では、透明分離層や保護層の厚みにバラツキのある記録媒体であっても確実に前記記録層の部分的な初期化を行うために、初期化開始時の記録層の部分的な初期化を行う際に、初期化用光ビームの焦点を初期化を行う記録層の近傍で上下動させたが、この動作は省略することもできる。この場合、カウンター１２を備える必要はない。
【００７０】
さらに、図１７に示すように、第１の焦点位置制御回路７と第２の焦点位置制御回路８の代わりにフォーカスエラー信号選択回路１０と焦点位置制御回路１１を設けても良い。この場合、フォーカスエラー信号選択回路１０は、コントローラ９の指示により、フォーカスエラー検出器５３から出力されるフォーカスエラー信号とフォーカスエラー検出器５４から出力されるフォーカスエラー信号のどちらかを選択し、焦点位置制御回路１１に出力する。焦点位置制御回路１１は、入力されたフォーカスエラー信号に基づいて図１５におけるボイスコイル５１と光路補正手段５２の少なくとも一方を動作させ、初期化用光ビーム５６の焦点位置と焦点位置粗調用光ビーム５５の焦点位置を制御する。
【００７１】
なお、上記実施形態では、光路補正手段５２を液晶素子としたが、例えば圧電素子などによる可動機構を備えたレンズによって構成しても良いし、設置場所はコリメータレンズ４３とビームスプリッター４５の間でも良い。さらに、光路補正手段５２を光源４２から照射される光ビームの固有の光路上に設け、光源４１から照射される光ビームの焦点位置を調整する動作をボイスコイル５１によって対物レンズ５０の位置を調整することによって行い、光源４２から照射される光ビームの焦点位置を対物レンズ５０の位置調整に加えて前記光路補正手段を動作させることによって調整しても良い。また、各記録層に対して専用の初期化装置を用い、初期化装置毎に焦点位置粗調用光ビームの焦点を合わせる基準面と初期化を行う記録層が決められている場合などは、前記光路補正手段を設けなくても良い。
【００７２】
さらに、光源として互いに波長の異なる半導体レーザを用いたが、光源４１、４２から出射された光ビームの光路を互いに異なる角度とし、記録媒体からの反射光がフォーカスエラー検出器部分で結像する位置を異ならせる等、異なる光源から出射された光ビームの記録媒体からの反射光を分離する別の手段を用いる場合には、同じ波長の光源としても良い。
【００７３】
また、本実施形態における第１の記録層のように、初期化用光ビームに対して、未初期化状態の方が初期化後よりも反射率が高い記録層では、Ｓ２３３の部分初期化を行わず、Ｓ２３４において初期化用光ビームを相変化層を結晶化させない強度で発光させた状態でフォーカス引き込みを行い、以降の工程を行っても良い。
【００７４】
また、Ｓ２３４でフォーカス引き込みの成否を検出し、フォーカス引き込みができなかった場合にはＳ２３３の部分初期化以降を再度行っても良い。
【００７５】
前記実施の形態１から４において、焦点位置粗調用光ビームおよび初期化用光ビームの波長及び対物レンズの開口数は、初期化の対象となる記録媒体における記録層の光学特性、基板の厚さ等に応じて、適宜設計できる。また、初期化を行う記録媒体の記録層の数は特に限定されるものではないが、各記録層から十分な反射光量が得難い３つ以上の記録層を備えた記録媒体に対して特に効果を発揮する。また、フォーカスサーボは、ナイフエッジ法、非点収差法などの一般的な方法で行うことができる。
【００７６】
さらに、前記実施の形態１から４では、焦点位置粗調用光ビームの焦点を合わせる基準面を記録媒体の表面としたが、フォーカス制御に十分な反射光量が得られる記録層や再生専用情報層などを有する記録媒体を初期化する場合は、これらの層を前記基準面としても良い。また、初期化用光ビームは焦点位置粗調用光ビームのフォーカス引き込み後に発光させたが、予め記録層を初期化しない程度の強度で発光させておき、焦点位置粗調用光ビームのフォーカス引き込み後に初期化に十分な強度としても良い。
【００７７】
各記録層に対して専用の初期化装置を用い、初期化装置毎に焦点位置粗調用光ビームの焦点を合わせる基準面と初期化を行う記録層が決められている場合などは、初期化用光ビームの焦点位置と焦点位置粗調用光ビームの焦点位置の光軸方向の距離を予め定めた値に固定しても良い。
【００７８】
記録層の初期化する領域に関しては、先に初期化を行う記録層の初期化領域を、後に初期化する記録層の初期化領域を含み、より広い範囲とすることが好ましい。これによって、先に初期化した記録層の初期化領域と未初期化領域の境界部分からの干渉光によりフォーカスサーボが乱されることを回避できる。
【００７９】
本発明の初期化方法は、記録媒体の全ての記録層に対して適用する必要はなく、必要に応じて少なくとも１つの記録層に対して実施すれば有効である。
【産業上の利用可能性】
【００８０】
本発明にかかる初期化方法および初期化装置は、レーザ光等の照射により情報の記録再生を行う記録層を有する光学式記録媒体を初期化するにあたって、少なくとも１つの記録層の初期化開始時において、記録層を初期化する初期化用光ビームとは異なる焦点位置粗調用光ビームを前記少なくとも１つの記録層とは異なる基準面に照射し、前記基準面からの反射光をもとに生成されるフォーカスエラー信号に基づいて前記初期化用光ビームの焦点を前記少なくとも１つの記録層に概略合わせて、前記少なくとも１つの記録層を部分的に初期化した後、前記初期化用光ビームの前記少なくとも１つの記録層からの反射光をもとに生成されるフォーカスエラー信号に基づいて前記初期化用光ビームの焦点位置を制御しながら前記少なくとも１つの記録層を初期化するものであり、初期化前の反射率が低い記録層に対して確実にフォーカス動作を行い、初期化を正常に行うことができるという効果を有し、特に複数の記録層を備えた多層記録媒体の初期化等に有用である。また、カード状など他の形状の記録媒体にも応用できる。
【図面の簡単な説明】
【００８１】
【図１】本発明の実施形態１における初期化装置を示す構成図
【図２】本発明の実施形態１における初期化装置の要部を示す構成図
【図３】本発明の実施形態１における初期化装置の要部を示す構成図
【図４】本発明の実施形態１における初期化方法の概略を示すフローチャート
【図５】本発明の実施形態１における初期化方法の要部を示すフローチャート
【図６】本発明の実施形態２における初期化装置を示す構成図
【図７】本発明の実施形態２における初期化方法の要部を示すフローチャート
【図８】本発明の実施形態３における初期化装置を示す構成図
【図９】本発明の実施形態３における初期化方法の要部を示すフローチャート
【図１０】本発明の実施形態３における初期化装置の第２の形態を示す構成図
【図１１】本発明の実施対象となる光学式記録媒体の一例を示す断面図
【図１２】本発明の実施対象となる光学式記録媒体の一例の詳細を示す断面図
【図１３】従来の初期化装置を示す構成図
【図１４】本発明の実施形態４における初期化装置を示す構成図
【図１５】本発明の実施形態４における初期化装置の要部を示す構成図
【図１６】本発明の実施形態４における初期化方法の要部を示すフローチャート
【図１７】本発明の実施形態４における初期化装置の第２の形態を示す構成図
【符号の説明】
【００８２】
１，２０，３０，４０    初期化装置
２    スピンドルモータ
３    初期化用光学ヘッド
４    焦点位置粗調用光学ヘッド
５    移送台
６    移動手段
７，８，１１    焦点位置制御回路
９    コントローラ
１０    フォーカスエラー信号選択回路
１２    カウンター
１３    光学ヘッド
２１，３１，４１，４２    光源
２２，３２，４３，４４    コリメータレンズ
２３，３３，４５，４６    ビームスプリッター
２４，３４，４７，４８    １／４波長板
２５，３５，５０    対物レンズ
２６，３６，５１    ボイスコイル
２７，３７，５３，５４    フォーカスエラー検出器
２８，５６    初期化用光ビーム
３８，５５    焦点位置粗調用光ビーム
４９    波長選択性ミラー
５２    光路補正手段
１００    記録媒体
１０２，１０４，１０６，１０８    記録層
１１１，１１５，１２０，１２５    相変化膜
【図１】
2011040110.tif 000005
【図２】
2011040110.tif 000006
【図３】
2011040110.tif 000007
【図４】
2011040110.tif 000008
【図５】
2011040110.tif 000009
【図６】
2011040110.tif 000010
【図７】
2011040110.tif 000011
【図８】
2011040110.tif 000012
【図９】
2011040110.tif 000013
【図１０】
2011040110.tif 000014
【図１１】
2011040110.tif 000015
【図１２】
2011040110.tif 000016
【図１３】
2011040110.tif 000017
【図１４】
2011040110.tif 000018
【図１５】
2011040110.tif 000019
【図１６】
2011040110.tif 000020
【図１７】
2011040110.tif 000021